(57)【要約】      （修正有）【課題】弦の運動を、弦によって表現される音を表す対応する電気信号に変換しながら、外部干渉の消去を提供するために、弦配向に対して平行な対向するコイルを通して延在する永久磁石を伴うハムバッキングピックアップを提供する。【解決手段】楽器のためのハムバッキングピックアップアッセンブリ１５４は、第１および第２のボビンを伴うボビンアセンブリを有する。楽器は、エレキギターであり得る。第１のコイル１２６が、第１のボビンの周囲に巻回され、第２のコイル１２８が、第２のボビンの周囲に巻回される。永久磁石１２０または複数の永久磁石が、ボビンアセンブリの第１のコイルおよび第２のコイルを通して延在する。筐体が、ボビンアセンブリにわたって配置される。ブレード１５２が、磁束を弦に向かって再指向するために、筐体の側面にわたって配置される。【選択図】図２ｈ
2018063428.tif 000002
【特許請求の範囲】
【請求項１】
楽器のためのハムバッキングピックアップであって、
第１のボビンと、第２のボビンとを含む、ボビンアセンブリと、
前記第１のボビンの周囲に巻回される、第１のコイルと、
前記第２のボビンの周囲に巻回される、第２のコイルと、
永久磁石の周囲に配置される前記第１のコイルおよび第２のコイルを伴う前記第１のボビンおよび第２のボビン内の開口部を通して延在する、永久磁石と、
前記ボビンアセンブリにわたって配置される、筐体であって、前記永久磁石は、前記筐体の上面に平行に配向される、筐体と、
を備える、ハムバッキングピックアップ。
【請求項２】
前記楽器の複数の弦が、前記永久磁石の対向する極に平行に前記筐体の上面にわたって配索される、請求項１に記載のハムバッキングピックアップ。
【請求項３】
前記永久磁石の第１の極にわたる前記筐体の第１の側面に沿って配置される、第１のブレードと、
前記永久磁石の第２の極にわたる前記第１の側面の反対の前記筐体の第２の側面に沿って配置される、第２のブレードと、
をさらに含む、請求項１に記載のハムバッキングピックアップ。
【請求項４】
前記永久磁石の第１の極にわたって配置される、第１のポールシューと、
前記第１のポールシューに挿入される、第１のポールスクリュと、
前記永久磁石の第２の極にわたって配置される、第２のポールシューと、
前記第２のポールシューに挿入される、第２のポールスクリュと、
をさらに含む、請求項１に記載のハムバッキングピックアップ。
【請求項５】
ハムバッキングピックアップを含む楽器であって、前記ハムバッキングピックアップは、
第１のボビンの周囲に巻回される第１のコイルと、第２のボビンの周囲に巻回される第２のコイルとを含む、ボビンアセンブリと、
永久磁石の周囲に配置される前記第１のコイルおよび第２のコイルを伴う、前記第１のボビンおよび第２のボビン内の開口部を通して延在する、永久磁石であって、前記楽器の表面に平行に配向される、永久磁石と、
を備える、楽器。
【請求項６】
前記ボビンアセンブリにわたって配置される筐体をさらに含む、請求項５に記載の楽器。
【請求項７】
前記永久磁石の第１の極にわたる前記筐体の第１の側面に沿って配置される、第１のブレードと、
前記永久磁石の第２の極にわたる前記第１の側面の反対の前記筐体の第２の側面に沿って配置される、第２のブレードと、
をさらに含む、請求項６に記載の楽器。
【請求項８】
前記楽器の複数の弦が、前記永久磁石の対向する極に平行に前記筐体の上面にわたって配索される、請求項６に記載の楽器。
【請求項９】
前記永久磁石の第１の極にわたって配置される、第１のポールシューと、
前記第１のポールシューに挿入される、第１のポールスクリュと、
前記永久磁石の第２の極にわたって配置される、第２のポールシューと、
前記第２のポールシューに挿入される、第２のポールスクリュと、
をさらに含む、請求項５に記載の楽器。
【請求項１０】
前記ボビンアセンブリの第１のコイルおよび第２のコイルを通して延在する、複数の永久磁石をさらに含む、請求項５に記載の楽器。
【請求項１１】
楽器のためのハムバッキングピックアップを作製する方法であって、
第１のボビンの周囲に巻回される第１のコイルと、第２のボビンの周囲に巻回される第２のコイルとを含む、ボビンアセンブリを提供するステップと、
前記ボビンアセンブリの第１のコイルおよび第２のコイルを通して永久磁石を配置するステップであって、前記永久磁石は、前記楽器の表面に平行に配向される、ステップと、
を含む、方法。
【請求項１２】
前記ボビンアセンブリにわたって筐体を配置するステップをさらに含む、請求項１１に記載の方法。
【請求項１３】
前記永久磁石の第１の極にわたる前記筐体の第１の側面に沿って第１のブレードを配置するステップと、
前記永久磁石の第２の極にわたる前記第１の側面の反対の前記筐体の第２の側面に沿って第２のブレードを配置するステップと、
をさらに含む、請求項１２に記載の方法。
【請求項１４】
前記永久磁石の対向する極に平行に前記筐体の上面にわたって前記楽器の複数の弦を配索するステップをさらに含む、請求項１２に記載の方法。
【請求項１５】
前記永久磁石の第１の極にわたって第１のポールシューを配置するステップと、
前記第１のポールシューに第１のポールスクリュを挿入するステップと、
前記永久磁石の第２の極にわたって第２のポールシューを配置するステップと、
前記第２のポールシューに第２のポールスクリュを挿入するステップと、
をさらに含む、請求項１１に記載の方法。
【発明の詳細な説明】
【技術分野】
【０００１】
本発明は、概して、楽器に関し、より具体的には、弦の運動を、弦によって表現される音を表す対応する電気信号に変換しながら、外部干渉の消去を提供するために、弦配向に対して平行な対向するコイルを通して延在する永久磁石を伴うハムバッキングピックアップに関する。
【背景技術】
【０００２】
多くの楽器は、演奏者が音を生成するために運動を付与する弦を含む。エレキギターの場合では、オーディオ音は、弦、典型的には、鋼弦の運動から、磁気ピックアップを経由して間接的に生産される。磁気ピックアップは、微細なエナメル銅ワイヤのコイルを用いて被着されたボビンと、アルニコまたはフェライト等のコア材料を伴う永久磁石とを含む。ピックアップは、殆どの場合、ギターの本体上に搭載される。永久磁石は、磁場を生成し、弦は、磁場を通して配索される。エレキギターが演奏されると、振動する鋼弦の運動は、磁場を擾乱させ、磁束を変化させ、コイルにおいて電圧を誘発する。振動する弦からの電圧の変化は、弦運動を表す電流をコイルにおいて生産し、対応して、演奏者によって意図される音を生産する。故に、ピックアップは、機械的弦振動を電気信号に変換するトランスデューサまたは可変磁気抵抗センサとして動作し、これは、可聴音を再生するために、増幅器およびラウドスピーカに配索される。
【０００３】
伝統的な単一コイル磁気ピックアップでは、相互に近接するワイヤの巻体は、ケーブル容量に追加されると、巻線のインダクタンスと共振する、等価自己容量を有する。共振は、ある周波数を強調し、ピックアップに特徴的な音質を与える。巻線におけるワイヤの巻数が多いほど、より高い出力電圧およびより低い共振周波数を生産する。単一コイルピックアップに固有の誘導性ソースインピーダンスは、ピエゾ電気または光学トランスデューサ等の他の形態のピックアップよりもこれを非線形にする。しかしながら、そのような非線形性によって生産される音質は、味わいがあり、一部の芸術家は、その音がより線形のトランスデューサよりも審美的に優ると見なす。
【０００４】
単一コイルピックアップは、例えば、そのエリア内の電力ケーブル、電力変圧器、および蛍光灯安定器からの外部電磁干渉（ハム音）ならびに弦の固有振動との磁気干渉の影響を受けやすい。ハム音は、典型的には、５０〜６０Ｈｚにおける基本周波数およびある高調波成分を含む。幹線電流によって引き起こされる磁束の変化は、巻線と結びつき、ピックアップに望ましくない電圧変動を誘発する。
【０００５】
図１は、各コイルがボビン１６の周囲に他方に対向して巻回または接続される、２つのコイル１２および１４を使用することによってハム音影響を克服するための、典型的なハムバッキングピックアップ１０を示す。複数の円筒形永久磁石２０が、ハムバッキングピックアップ１０におけるコイル１２の内部面積内でボビン１６を通して配置され、複数の円筒形永久磁石２２が、コイル１４の内部面積内でボビン１６を通して配置される。磁石２０は、個別の巻線内で磁石２２と整合される。電力供給変圧器、無線周波数、または電気デバイスからの周囲ハム音は、同相雑音としてコイルに到達するため、外部干渉は、各コイルにおいて等しい反対の電圧を誘発し、これは、コイル１２および１４の対向に起因して、相互を消去する傾向にある。
【０００６】
特に、ハムバッキングピックアップ１０は、図１に示されるように、エレキギター本体３０に搭載され、円筒形磁石２０および２２は、ギター弦３２に垂直に配向される。永久磁石２０のＮ極Ｎから発生する磁束線は、弦３２の縦方向軸に垂直または直角である。弦３２は、円筒形磁石２０のＮ極Ｎを横断する磁場を通して振動し、これは、磁束を変化させ、コイル１２および１４において電圧を誘発する。振動する弦３２からの電圧の変化は、弦運動を表す電流をコイル１２および１４において生産し、対応して、演奏者によって意図される音を生産する。電気信号は、可聴音を再生するために、増幅器およびラウドスピーカに配索される。
【０００７】
コイル１２および１４は、対向して巻回または接続され、したがって、外部干渉、例えば、電力供給変圧器、無線周波数、または電気デバイスからの周囲ハム音は、各コイルにおいて等しい反対の電圧を誘発し、これは、外部干渉を消去する傾向にある。ギター弦３２に垂直に配向される永久磁石２０および２２を伴うハムバッキングピックアップ１０は、関連付けられるより高いコストおよびより大きい形状因子を伴うが、安定した干渉消去を達成する。
【発明の概要】
【課題を解決するための手段】
【０００８】
例えば、本発明は以下の項目を提供する。
（項目１）
楽器のためのハムバッキングピックアップであって、
第１のボビンと、第２のボビンとを含む、ボビンアセンブリと、
上記第１のボビンの周囲に巻回される、第１のコイルと、
上記第２のボビンの周囲に巻回される、第２のコイルと、
永久磁石の周囲に配置される上記第１のコイルおよび第２のコイルを伴う上記第１のボビンおよび第２のボビン内の開口部を通して延在する、永久磁石と、
上記ボビンアセンブリにわたって配置される、筐体であって、上記永久磁石は、上記筐体の上面に平行に配向される、筐体と、
を備える、ハムバッキングピックアップ。
（項目２）
上記楽器の複数の弦が、上記永久磁石の対向する極に平行に上記筐体の上面にわたって配索される、上記項目に記載のハムバッキングピックアップ。
（項目３）
上記永久磁石の第１の極にわたる上記筐体の第１の側面に沿って配置される、第１のブレードと、
上記永久磁石の第２の極にわたる上記第１の側面の反対の上記筐体の第２の側面に沿って配置される、第２のブレードと、
をさらに含む、上記項目のいずれかに記載のハムバッキングピックアップ。
（項目４）
上記永久磁石の第１の極にわたって配置される、第１のポールシューと、
上記第１のポールシューに挿入される、第１のポールスクリュと、
上記永久磁石の第２の極にわたって配置される、第２のポールシューと、
上記第２のポールシューに挿入される、第２のポールスクリュと、
をさらに含む、上記項目のいずれかに記載のハムバッキングピックアップ。
（項目５）
ハムバッキングピックアップを含む楽器であって、上記ハムバッキングピックアップは、
第１のボビンの周囲に巻回される第１のコイルと、第２のボビンの周囲に巻回される第２のコイルとを含む、ボビンアセンブリと、
永久磁石の周囲に配置される上記第１のコイルおよび第２のコイルを伴う、上記第１のボビンおよび第２のボビン内の開口部を通して延在する、永久磁石であって、上記楽器の表面に平行に配向される、永久磁石と、
を備える、楽器。
（項目６）
上記ボビンアセンブリにわたって配置される筐体をさらに含む、上記項目のいずれかに記載の楽器。
（項目７）
上記永久磁石の第１の極にわたる上記筐体の第１の側面に沿って配置される、第１のブレードと、
上記永久磁石の第２の極にわたる上記第１の側面の反対の上記筐体の第２の側面に沿って配置される、第２のブレードと、
をさらに含む、上記項目のいずれかに記載の楽器。
（項目８）
上記楽器の複数の弦が、上記永久磁石の対向する極に平行に上記筐体の上面にわたって配索される、上記項目のいずれかに記載の楽器。
（項目９）
上記永久磁石の第１の極にわたって配置される、第１のポールシューと、
上記第１のポールシューに挿入される、第１のポールスクリュと、
上記永久磁石の第２の極にわたって配置される、第２のポールシューと、
上記第２のポールシューに挿入される、第２のポールスクリュと、
をさらに含む、上記項目のいずれかに記載の楽器。
（項目１０）
上記ボビンアセンブリの第１のコイルおよび第２のコイルを通して延在する、複数の永久磁石をさらに含む、上記項目のいずれかに記載の楽器。
（項目１１）
楽器のためのハムバッキングピックアップを作製する方法であって、
第１のボビンの周囲に巻回される第１のコイルと、第２のボビンの周囲に巻回される第２のコイルとを含む、ボビンアセンブリを提供するステップと、
上記ボビンアセンブリの第１のコイルおよび第２のコイルを通して永久磁石を配置するステップであって、上記永久磁石は、上記楽器の表面に平行に配向される、ステップと、
を含む、方法。
（項目１２）
上記ボビンアセンブリにわたって筐体を配置するステップをさらに含む、上記項目のいずれかに記載の方法。
（項目１３）
上記永久磁石の第１の極にわたる上記筐体の第１の側面に沿って第１のブレードを配置するステップと、
上記永久磁石の第２の極にわたる上記第１の側面の反対の上記筐体の第２の側面に沿って第２のブレードを配置するステップと、
をさらに含む、上記項目のいずれかに記載の方法。
（項目１４）
上記永久磁石の対向する極に平行に上記筐体の上面にわたって上記楽器の複数の弦を配索するステップをさらに含む、上記項目のいずれかに記載の方法。
（項目１５）
上記永久磁石の第１の極にわたって第１のポールシューを配置するステップと、
上記第１のポールシューに第１のポールスクリュを挿入するステップと、
上記永久磁石の第２の極にわたって第２のポールシューを配置するステップと、
上記第２のポールシューに第２のポールスクリュを挿入するステップと、
をさらに含む、上記項目のいずれかに記載の方法。
（摘要）
楽器のためのハムバッキングピックアップが、第１および第２のボビンを伴うボビンアセンブリを有する。楽器は、エレキギターであり得る。第１のコイルが、第１のボビンの周囲に巻回され、第２のコイルが、第２のボビンの周囲に巻回される。永久磁石または複数の永久磁石が、ボビンアセンブリの第１のコイルおよび第２のコイルを通して延在する。筐体が、ボビンアセンブリにわたって配置される。ブレードが、磁束を弦に向かって再指向するために、筐体の側面にわたって配置される。楽器の複数の弦が、永久磁石の対向する極に平行に筐体の上面にわたって配索される。楽器の弦の運動が、永久磁石の第１の極および永久磁石の第２の極に近接した永久磁石の磁束を擾乱させる。
【図面の簡単な説明】
【０００９】
【図１】図１は、磁石がギター弦に垂直に配向される、従来のハムバッキングピックアップを図示する。
【図２ａ】図２ａ−２ｉは、ギター弦に平行に配向される対向する極を有する、中実磁石を伴うハムバッキングピックアップを作製するプロセスを図示する。
【図２ｂ】図２ａ−２ｉは、ギター弦に平行に配向される対向する極を有する、中実磁石を伴うハムバッキングピックアップを作製するプロセスを図示する。
【図２ｃ】図２ａ−２ｉは、ギター弦に平行に配向される対向する極を有する、中実磁石を伴うハムバッキングピックアップを作製するプロセスを図示する。
【図２ｄ】図２ａ−２ｉは、ギター弦に平行に配向される対向する極を有する、中実磁石を伴うハムバッキングピックアップを作製するプロセスを図示する。
【図２ｅ】図２ａ−２ｉは、ギター弦に平行に配向される対向する極を有する、中実磁石を伴うハムバッキングピックアップを作製するプロセスを図示する。
【図２ｆ】図２ａ−２ｉは、ギター弦に平行に配向される対向する極を有する、中実磁石を伴うハムバッキングピックアップを作製するプロセスを図示する。
【図２ｇ】図２ａ−２ｉは、ギター弦に平行に配向される対向する極を有する、中実磁石を伴うハムバッキングピックアップを作製するプロセスを図示する。
【図２ｈ】図２ａ−２ｉは、ギター弦に平行に配向される対向する極を有する、中実磁石を伴うハムバッキングピックアップを作製するプロセスを図示する。
【図２ｉ】図２ａ−２ｉは、ギター弦に平行に配向される対向する極を有する、中実磁石を伴うハムバッキングピックアップを作製するプロセスを図示する。
【図３】図３は、図２ａ−２ｉのハムバッキングピックアップを伴うエレキギターを図示する。
【図４ａ】図４ａ−４ｈは、ギター弦に平行に配向される複数の磁石を伴うハムバッキングピックアップを作製するプロセスを図示する。
【図４ｂ】図４ａ−４ｈは、ギター弦に平行に配向される複数の磁石を伴うハムバッキングピックアップを作製するプロセスを図示する。
【図４ｃ】図４ａ−４ｈは、ギター弦に平行に配向される複数の磁石を伴うハムバッキングピックアップを作製するプロセスを図示する。
【図４ｄ】図４ａ−４ｈは、ギター弦に平行に配向される複数の磁石を伴うハムバッキングピックアップを作製するプロセスを図示する。
【図４ｅ】図４ａ−４ｈは、ギター弦に平行に配向される複数の磁石を伴うハムバッキングピックアップを作製するプロセスを図示する。
【図４ｆ】図４ａ−４ｈは、ギター弦に平行に配向される複数の磁石を伴うハムバッキングピックアップを作製するプロセスを図示する。
【図４ｇ】図４ａ−４ｈは、ギター弦に平行に配向される複数の磁石を伴うハムバッキングピックアップを作製するプロセスを図示する。
【図４ｈ】図４ａ−４ｈは、ギター弦に平行に配向される複数の磁石を伴うハムバッキングピックアップを作製するプロセスを図示する。
【図５ａ】図５ａ−５ｃは、弦に平行に配向される永久磁石に隣接して、ポールシューを通してポールスクリュを伴うハムバッキングピックアップを作製するプロセスを図示する。
【図５ｂ】図５ａ−５ｃは、弦に平行に配向される永久磁石に隣接して、ポールシューを通してポールスクリュを伴うハムバッキングピックアップを作製するプロセスを図示する。
【図５ｃ】図５ａ−５ｃは、弦に平行に配向される永久磁石に隣接して、ポールシューを通してポールスクリュを伴うハムバッキングピックアップを作製するプロセスを図示する。
【図６ａ】図６ａ−６ｃは、ギター弦に平行に配向される対向する極を有する、中実磁石を伴う単一コイルピックアップを作製するプロセスを図示する。
【図６ｂ】図６ａ−６ｃは、ギター弦に平行に配向される対向する極を有する、中実磁石を伴う単一コイルピックアップを作製するプロセスを図示する。
【図６ｃ】図６ａ−６ｃは、ギター弦に平行に配向される対向する極を有する、中実磁石を伴う単一コイルピックアップを作製するプロセスを図示する。
【図７】図７は、永久磁石に隣接して、ブレードおよびポールシューを通したポールスクリュの組み合わせを伴うハムバッキングピックアップを図示する。
【発明を実施するための形態】
【００１０】
本発明は、同様の番号が同一または類似する要素を表す図を参照して、以下の説明における１つまたはそれを上回る実施形態において説明される。本発明は、本発明の目的を達成するための最良の形態の観点から説明されているが、添付される請求項ならびに以下の開示および図面によって支持されるようなその均等物によって定義されるような本発明の精神および範囲内に含まれ得るような代替、修正、および均等物を網羅するように意図されることが、当業者によって理解されるであろう。
【００１１】
図２ａは、６／６ナイロン、３０％ガラス充填ナイロン、繊維ガラス、または他の電気絶縁材料を伴う一体構造のボビン１０２およびボビン１０４を伴う、ボビンアセンブリ１００を例証する。ボビンアセンブリ１００は、外側フランジ１１２、ボビン１０２、中間フランジ１１４、ボビン１０４、および外側フランジ１１６を通して延在する開口部１１０を含む。外側フランジ１１６は、電気信号をピックアップからギターの電子構成要素に配索するために、電気接続を成すためのプリント回路基板または接触パッドを含む。開口部１１０は、長方形形状または丸形端部を伴う伸長であり、ボビンアセンブリ１００を通して完全に延在する。一実施形態では、ボビンアセンブリ１００は、中間フランジ１１４を横断して６．７センチメートル（ｃｍ）の外寸を有し、外側フランジ１１２と外側フランジ１１６との間で１．５ｃｍの外寸を有する。開口部１１０は、４．８ｃｍ×０．３２ｃｍである。
【００１２】
別の実施形態では、図２ｂは、別個の構成要素としてのボビン１０２およびボビン１０４を示す。開口部１１０は、フランジ１１２、ボビン１０２、およびフランジ１１４を通して延在する。開口部１１０はさらに、フランジ１１５、ボビン１０４、およびフランジ１１６を通して延在する。
【００１３】
図２ｃは、Ｎ極Ｎが表面１２２において指定され、Ｓ極Ｓが表面１２４において指定される、アルニコまたはフェライト等のコア材料の中実本体としての永久磁石１２０を示す。磁石１２０の形状因子は、ボビンアセンブリ１００を通して開口部１１０と一致する。一実施形態では、磁石１２０は、４．８ｃｍ×０．３２ｃｍ×１．５ｃｍの寸法を有する。ボビン１０２は、コイル１２６を形成するために、多数の巻数、例えば、数千の巻数のコーティングされた銅ワイヤを用いて巻回され、ボビン１０４は、コイル１２８を形成するために、同様に多数の巻数の銅ワイヤを用いて巻回される。コイル１２６およびコイル１２８は、外部干渉を消去するために、それぞれ、ボビン１０２および１０４の周囲で対向して巻回または接続される。
【００１４】
図２ｄは、表面１２２が外側フランジ１１２と同一平面または共面であり、表面１２４が外側フランジ１１６と同一平面または共面である、ボビンアセンブリ１００の開口部１１０に圧入または摩擦嵌合される永久磁石１２０を示す。別の実施形態では、表面１２２は、外側フランジ１１２の表面を越えて外向きに延在し、表面１２４は、外側フランジ１１６の表面を越えて外向きに延在する。コイル１２６およびコイル１２８を伴うボビンアセンブリ１００ならびに開口部１１０に挿入される永久磁石１２０は、ハムバッキングピックアップ１３０を構成する。
【００１５】
図２ｅでは、筐体カバー１３２が、上面１３４と、ギター本体への取付を確実にするための開口部１３８を伴う搭載フランジ１３６とを含む。筐体カバー１３２の対向する側が、開口部１４０および１４２を含む。ハムバッキングピックアップ１３０は、筐体カバー１３２にわたって位置付けられ、開口部１４０が、外側フランジ１１２および永久磁石１２０の表面１２２と垂直に整合され、開口部１４２が、外側フランジ１１６および永久磁石の表面１２４と垂直に整合される。
【００１６】
図２ｆは、筐体カバー１３２内に封入されるハムバッキングピックアップ１３０を示す。特に、ハムバッキングピックアップ１３０は、筐体カバー１３２内に配置され、したがって、永久磁石１２０のＮ極Ｎ表面１２２は、開口部１４０に向かって配向され、Ｓ極Ｓ表面１２４は、永久磁石の開口部１４２に向かって配向される。故に、永久磁石１２０の本体および対向する極は、上面１３４に平行に配向され、最終的に、ギター弦およびギター本体に平行に配向されるであろう。ブレード１５０が、接着剤を用いて、ねじを用いて、磁気的に、または他の固着機構を用いて、永久磁石１２０の表面１２２にわたって、開口部１４０の形状嵌合スロットにおいて、筐体カバー１３２の外面に搭載される。同様に、ブレード１５２が、最終センタレス中心点ハムバッキングピックアップアセンブリ１５４として、永久磁石１２０の表面１２４にわたって、開口部１４２の形状嵌合スロットにおいて、筐体カバー１３２の外面に搭載される。ブレード１５０および１５２は、筐体カバー１３２の内部側面に搭載されることができる。ブレード１５０および１５２は、鋼を用いて作製され、永久磁石１２０の磁束線をギター弦に向かって再指向する。ハムバッキングピックアップアセンブリ１５４は、ギター弦に平行に、ボビンアセンブリ１００におけるコイル１２６および１２８を通して完全に延在する永久磁石１２０の性質と、そのどちらも従来のピックアップにおいて見出されるような中央ピックアップ点を呈さない２つの点において、すなわち、永久磁石１２０のＮ極Ｎ表面１２２に近接して、および永久磁石のＳ極Ｓ表面１２４に近接して、ギター弦運動をピックアップするブレード１５０および１５２とによって、センタレス中心点動作を呈する。
【００１７】
図２ｇは、搭載フランジ１３６における開口部１３８を通して締結されるねじ１５８を用いてギター本体１５６に搭載される、ハムバッキングピックアップアセンブリ１５４を示す。ねじ１５８は、弦１６０に対するハムバッキングピックアップアセンブリ１５４の高さを調節するために使用されることができる。永久磁石１２０の本体および対向する極は、ギター本体１５６の表面と平行に配向される。６つのギター弦１６０が、筐体カバー１３２の上面１３４を横断して配索される。筐体カバー１３２内の永久磁石１２０の配向を前提として、弦１６０の縦方向軸は、図２ｈの切り欠き図に示されるように、永久磁石のＮ極Ｎ表面１２２およびＳ極Ｓ表面１２４と平行に延設される。
【００１８】
図２ｉは、永久磁石１２０の磁場１６２における弦１６０を示す。ブレード１５０および１５２は、永久磁石１２０の磁束線をギター弦１６０に向かって再指向する。ハムバッキングピックアップアセンブリ１５４は、点１６６および点１６８において、すなわち、ブレード１５０および永久磁石１２０のＮ極Ｎ表面１２２に近接して、ならびにブレード１５２およびＳ極Ｓ表面１２４に近接して、弦１６０の運動に応答する。
【００１９】
別の実施形態では、ブレード１５０および１５２は、筐体カバー１３２の上面１３４の上方に延在し得る（図２ｉ参照）。図４ｆと同様に、複数の切り欠きが、ブレード１５０および１５２に切り込まれ、ハムバッキングピックアップ１５４の応答をギター弦の異なるゲージに設定することができる。
【００２０】
図３は、本体１７２と、ネック１７４と、弦１７６とを含む、ギター１７０を例証する。ギター１７０は、エレキギター、エレキベースギター、または磁気ピックアップを組み込む任意の他の弦楽器であり得る。ブリッジ１７８が、接着剤、ねじ、クリップ、または他の好適な取付機構を使用して、本体１７２に添着される。ブリッジ１７８は、弦１７６の一方の端部を係留および支持する。エレキギター１７０のネック１７４は、ヘッドストック１８０と、フレットボード１８２とを含む。マシンヘッド１８４が、ヘッドストック１８０に取り付けられ、弦１７６の反対の端部を係留する。弦１７６の張力が、調節され、ギター１７０は、マシンヘッド１８４を回転させることによって調律される。ピックガードまたはスクラッチプレート１８６が、本体１７２に取り付けられる。
【００２１】
ハムバッキングピックアップアセンブリ１５４は、接着剤、ねじ、クリップ、または他の好適な取付機構を使用して、本体１７２に搭載される。ハムバッキングピックアップアセンブリ１５４は、弦１７６の下に配置され、弦運動を、振動する弦からの意図される音を表す電気信号に変換する。オーディオ出力ジャック１８８が、本体１７２上に提供される。ハムバッキングピックアップアセンブリ１５４によって生成される電気信号は、ギター１７０からオーディオ出力ジャック１８８を通して出力される。オーディオ信号および制御信号は、信号調整および音再生のために、オーディオ出力ジャック１８８から外部デバイス、例えば、増幅器およびスピーカに配索される。
【００２２】
特に、ハムバッキングピックアップアセンブリ１５４の永久磁石１２０は、ギター弦１７６に平行に配向される。弦１７６の縦方向軸は、永久磁石１２０のＮ極Ｎ表面１２２とＳ極Ｓ表面１２４との間の軸と平行に延設される。永久磁石１２０は、磁場を生成し、弦１７６は、磁場を通して配索される。図２ｈに示されるように、エレキギター１７０が演奏されると、振動する鋼弦１７６の運動は、磁場を擾乱させ、磁束を変化させ、コイル１２６および１２８において電圧を誘発する。振動する弦からの電圧の変化は、弦運動を表す電流をコイルにおいて生産し、対応して、演奏者によって意図される音を生産する。ピックアップは、機械的弦振動を電気信号に変換するトランスデューサまたは可変磁気抵抗センサとして動作し、これは、可聴音を再生するために、増幅器およびラウドスピーカに配索される。
【００２３】
ハムバッキングピックアップアセンブリ１５４におけるコイル１２６およびコイル１２８は、対向して巻回または接続される。任意の外部干渉、例えば、電力供給変圧器、無線周波数、または電気デバイスからの周囲ハム音が、同相雑音としてコイル１２６および１２８に到達し、各コイルにおいて等しい反対の電圧を誘発し、これは、相互を消去する傾向にある。故に、ギター弦１７６に対するハムバッキングピックアップアセンブリ１５４内の永久磁石１２０の平行配向は、弦運動を表す電圧をコイルにおいて生産し、対応して、演奏者によって意図される音を生産する。コイル１２６およびコイル１２８の対向する巻線または接続は、各コイルにおいて等しい反対の電圧を誘発し、外部干渉を消去する。ギター弦１７６に平行に配向される永久磁石１２０を伴うハムバッキングピックアップアセンブリ１５４は、より小さい形状因子における、すなわち、単一コイルピックアップの形状因子に類似する単一磁石を用いて、所望の干渉消去を達成する。
【００２４】
図４ａ−４ｈは、ハムバッキングピックアップを通して延在する、個々の別個の永久磁石を伴う別の実施形態を例証する。図４ａは、６／６ナイロン、３０％ガラス充填ナイロン、繊維ガラス、または他の電気絶縁材料を伴う一体構造のボビン２０２およびボビン２０４を伴う、ボビンアセンブリ２００を示す。ボビンアセンブリ２００は、外側フランジ２１２、ボビン２０２、中間フランジ２１４、ボビン２０４、および外側フランジ２１６を通して延在する複数の管状開口部２１０を含む。外側フランジ２１６は、電気信号をピックアップからギターの電子構成要素に配索するために、電気接続を成すためのプリント回路基板または接触パッドを含む。管状開口部２１０は、ボビンアセンブリ２００を通して完全に延在する。一実施形態では、ボビンアセンブリ２００は、中間フランジ１１４を横断して６．７ｃｍの外寸を有し、外側フランジ２１２と外側フランジ２１６との間で１．５ｃｍの外寸を有する。管状開口部２１０は、直径が０．３２ｃｍである。
【００２５】
図４ｂは、それぞれ、アルニコまたはフェライト等のコア材料の中実本体を伴い、Ｎ極Ｎが表面２２２において指定され、Ｓ極Ｓが表面２２４において指定される、複数の永久磁石２２０を示す。一実施形態では、磁石２２０は、直径０．３２ｃｍおよび長さ１．５ｃｍの寸法を有する。ボビン２０２は、コイル２２６を形成するために、多数の巻数、例えば、数千の巻数のコーティングされた銅ワイヤを用いて巻回され、ボビン２０４は、コイル２２８を形成するために、同様に多数の巻数の銅ワイヤを用いて巻回される。コイル２２６およびコイル２２８は、外部干渉を消去するために、それぞれ、ボビン２０２および２０４の周囲で対向して巻回または接続される。
【００２６】
図４ｃは、表面２２２が外側フランジ２１２と同一平面または共面であり、表面２２４が外側フランジ２１６と同一平面または共面である、ボビンアセンブリ２００の開口部２１０に圧入または摩擦嵌合される永久磁石２２０を示す。別の実施形態では、表面２２２は、外側フランジ２２２の表面を越えて外向きに延在し、表面１２４は、外側フランジ２１６の表面を越えて外向きに延在する。コイル２２６およびコイル２２８を伴うボビンアセンブリ２００ならびに開口部２１０に挿入される永久磁石２２０は、ハムバッキングピックアップ２３０を構成する。
【００２７】
図４ｄでは、筐体カバー２３２が、上面２３４と、ギター本体への取付を確実にするための開口部２３８を伴う搭載フランジ２３６とを含む。筐体カバー２３２の対向する側が、開口部２４０および２４２を含む。ハムバッキングピックアップ２３０は、筐体カバー２３２にわたって位置付けられ、開口部２４０が、外側フランジ２１２および永久磁石２２０の表面２２２と垂直に整合され、開口部２４２が、外側フランジ２１６および永久磁石の表面２２４と垂直に整合される。ハムバッキングピックアップ２３０は、次いで、筐体カバー２３２内に封入される。特に、ハムバッキングピックアップ２３０は、筐体カバー２３２内に配置され、したがって、永久磁石２２０のＮ極Ｎ表面２２２は、開口部２４０に向かって配向され、Ｓ極Ｓ表面２２４は、永久磁石の開口部２４２に向かって配向される。故に、永久磁石２２０の本体および対向する極は、上面２３４に平行に配向され、最終的に、ギター弦およびギター本体に平行に配向されるであろう。ブレード２５０が、開口部２４０にわたって位置付けられ、ブレード２５２が、開口部２４２にわたって位置付けられる。
【００２８】
図４ｅは、接着剤を用いて、ねじを用いて、磁気的に、または他の固着機構を用いて、永久磁石２２０の表面２２２にわたって、開口部２４０の形状嵌合スロットにおいて、筐体カバー２３２の外面に搭載されるブレード２５０を示す。同様に、ブレード２５２が、最終センタレス中心点ハムバッキングピックアップアセンブリ２５４として、永久磁石２２０の表面２２４にわたって、開口部２４２の形状嵌合スロットにおいて、筐体カバー２３２の外面に搭載される。ブレード２５０および２５２は、鋼を用いて作製され、永久磁石２２０の磁束線をギター弦に向かって再指向する。ハムバッキングピックアップアセンブリ２５４は、ギター弦に平行に、ボビンアセンブリ２００におけるコイル２２６よび２２８を通して完全に延在する永久磁石２２０の性質と、そのどちらも従来のピックアップにおいて見出されるような中央ピックアップ点を呈さない２つの点において、すなわち、永久磁石２２０のＮ極Ｎ表面２２２に近接して、および永久磁石のＳ極Ｓ表面２２４に近接して、ギター弦運動をピックアップするブレード２５０および２５２とによって、センタレス中心点動作を呈する。
【００２９】
別の実施形態では、ブレード２５０および２５２は、筐体カバー２３２の内部側面に搭載されることができる。ブレード２５０および２５２は、図４ｆに示されるように、筐体カバー２３２の上面２３４の上方に延在し得る。複数の切り欠き２５５が、ブレード２５０および２５２に切り込まれ、ハムバッキングピックアップ２５４の応答をギター弦の異なるゲージに設定することができる。
【００３０】
図４ｇは、搭載フランジ２３６における開口部２３８を通して締結されるねじ２５８を用いてギター本体２５６に搭載される、ハムバッキングピックアップアセンブリ２５４を示す。ねじ２５８は、弦２６０に対するハムバッキングピックアップアセンブリ２５４の高さを調節するために使用されることができる。永久磁石２２０の本体および対向する極は、ギター本体２５６の表面と平行に配向される。６つのギター弦２６０が、筐体カバー２３２の上面２３４を横断して配索される。筐体カバー２３２内の永久磁石２２０の配向を前提として、弦２６０の縦方向軸は、図４ｈの切り欠き図に示されるように、永久磁石のＮ極Ｎ表面２２２およびＳ極Ｓ表面２２４と平行に延設される。図２ｈに関して説明されるように、ハムバッキングピックアップアセンブリ２５４は、ブレード２５０および永久磁石２２０のＮ極Ｎ表面２２２に近接して、ならびにブレード２５２およびＳ極Ｓ表面２２４に近接して、弦２６０の運動に応答する。
【００３１】
図５ａ−５ｃは、アルニコまたはフェライト等のコア材料の中実本体としての永久磁石２８２を伴い、Ｎ極Ｎが表面２８４において指定され、Ｓ極Ｓが表面２８６において指定される、図２ａ−２ｃのハムバッキングピックアップ１３０に類似する、ハムバッキングピックアップ２８０を例証する。図５ａは、外側フランジ２９０から中間フランジ２９１を通して外側フランジ２９２へのボビンアセンブリを通した開口部２８８の寸法に一致する磁石２８２の形状因子を示す。コイル２９４およびコイル２９６は、外部干渉を消去するために、ボビンアセンブリの周囲で対向して巻回または接続される。永久磁石２８２は、開口部２８８に圧入または摩擦嵌合され、表面２８４が、外側フランジ２９０と同一平面または共面であり、表面２８６が、外側フランジ２９２と同一平面または共面である。代替として、表面２８４は、外側フランジ２９０の表面を越えて外向きに延在し、表面２８６は、外側フランジ２９２の表面を越えて外向きに延在する。コイル２９４およびコイル２９６を伴うボビンアセンブリならびに開口部２８８に挿入される永久磁石２８２は、ハムバッキングピックアップ２８０を構成する。
【００３２】
別の実施形態では、ハムバッキングピックアップ２８０は、ボビンアセンブリにおけるコイル２９４および２９６を通して配置される、ハムバッキングピックアップ２３０内の磁石２２０と類似する複数の永久磁石を使用し得る。
【００３３】
ポールシュー３００およびポールシュー３０２が、鋼から作製され、それぞれ、永久磁石２８２のＮ極Ｎ表面２８４およびＳ極Ｓ表面２８６に磁気的に結合される。ポールスクリュ３０４が、ポールシュー３００のねじ山付き開口部３０６に挿入される。同様に、ポールスクリュ３０８が、ポールシュー３０２のねじ山付き開口部３１０に挿入される。ポールシュー３００およびポールシュー３０２は、Ｎ極Ｎ表面２８４およびＳ極Ｓ表面２８６の個別の延長部として動作し、ポールスクリュ３０４およびポールスクリュ３０８によって、永久磁石２８２の各極面上の６つの場所において垂直に調節可能である。つまり、ポールスクリュ３０４およびポールスクリュ３０８は、開口部３０６および開口部３１０内に個別に通され、そして通されず、Ｎ極Ｎ表面２８４およびＳ極Ｓ表面２８６に対するポールシュー３００ならびにポールシュー３０２の相対的場所の微調節を行うことができる。ポールスクリュ３０４およびポールスクリュ３０８を個別に通し、そして通さないことによる、ポールシュー３００およびポールシュー３０２の相対的場所の微調節は、ギター弦に対する磁場を改変する効果を有する。故に、ポールスクリュ３０４およびポールスクリュ３０８の個々の調節は、ギター弦の異なるゲージへのハムバッキングピックアップ２８０の応答を調整する。
【００３４】
別の実施形態では、それぞれ、各ポールスクリュに対応するねじ山付き開口部を伴う、別個のポールシューが存在する。再び、ポールスクリュは、個別に通され、そして通されず、Ｎ極Ｎ表面およびＳ極Ｓ表面に対する個々のポールシューの相対的場所の微調節を行うことができる。別個のポールシューは、特に、ハムバッキングピックアップ２３０の実施形態に適用可能である。
【００３５】
筐体カバー３２０が、上面３２２と、ギター本体への取付を確実にするための開口部３２８を伴う搭載フランジ３２６とを含む。開口部３３４が、ポールスクリュ３０４およびポールスクリュ３０８を収容するために、上面３２２において提供される。筐体カバー３２０は、ハムバッキングピックアップ２８０にわたって位置付けられ、側面３３０が、外側フランジ２９０および永久磁石２８２の表面２８４と垂直に整合され、側面３３２が、外側フランジ２９２および永久磁石の表面２８６と垂直に整合される。
【００３６】
図５ｂでは、ハムバッキングピックアップ２８０は、最終センタレス中心点ハムバッキングピックアップアセンブリ３４４として、筐体カバー３２０内に封入される。特に、ハムバッキングピックアップ２８０は、筐体カバー３２０内に配置され、したがって、永久磁石２８２のＮ極Ｎ表面２８６およびポールシュー３００は、側面３３０に向かって配向され、Ｓ極Ｓ表面２８６およびポールシュー３０２は、側面３３２に向かって配向される。ポールスクリュ３０４およびポールスクリュ３０８は、上面３２２上の開口部３３４を通してアクセス可能である。
【００３７】
ハムバッキングピックアップアセンブリ３４４は、搭載フランジ３２６における開口部３２８を通して締結されるねじ３４８を用いて、ギター本体３４６に搭載される。永久磁石２８２の本体および対向する極は、ギター本体３４６の表面と平行に配向される。６つのギター弦３５０が、筐体カバー３２０の上面３２２を横断して配索される。筐体カバー３２０内の永久磁石２８２の配向を前提として、弦３５０の縦方向軸は、永久磁石のＮ極Ｎ表面２８４およびＳ極Ｓ表面２８６と平行に延設される。ハムバッキングピックアップアセンブリ３４４は、ポールスクリュ３０４およびポールスクリュ３０８に近接する弦３５０の運動に応答する。ポールスクリュ３０４およびポールスクリュ３０８は、開口部３０６および開口部３１０内に個別に通され、そして通されず、Ｎ極Ｎ表面２８４およびＳ極Ｓ表面２８６に対するポールシュー３００およびポールシュー３０２の相対的場所の微調節を行うことができる。ポールスクリュ３０４およびポールスクリュ３０８を個別に通し、そして通さないことによる、ポールシュー３００およびポールシュー３０２の相対的場所の微調節は、ギター弦に対する磁場を改変する効果を有し、ギター弦の異なるゲージへのハムバッキングピックアップ２８０の応答を調整する。
【００３８】
図５ｃは、ポールシュー３００が側壁３３０とＮ極Ｎ表面２８４との間に配置され、ポールシュー３０２が側壁３３２とＳ極Ｓ表面２８６との間に配置される、ハムバッキングピックアップアセンブリ３４４の断面図を示す。ポールスクリュ３０４およびポールスクリュ３０８は、永久磁石２８２の磁束線３５２をギター弦３５０に向かって再指向する。ハムバッキングピックアップアセンブリ３４４は、ギター弦３５０に平行に、ボビンアセンブリにおけるコイル２９４および２９６を通して完全に延在する永久磁石２９４の性質と、ポールシュー３００およびポールシュー３０２に近接する点３５４ならびに点３６５において、ギター弦運動をピックアップするポールスクリュ３０４およびポールスクリュ３０８とによって、センタレス中心点動作を呈する。
【００３９】
図６ａは、６／６ナイロン、３０％ガラス充填ナイロン、繊維ガラス、または他の電気絶縁材料を伴う一体構造のボビン３６２を伴う、単一コイルピックアップ３６０の別の実施形態を例証する。開口部が、外側フランジ３６４、ボビン３６２、および外側フランジ３６６を通して延在する。永久磁石３７０が、Ｎ極Ｎ表面およびＳ極Ｓ表面を伴う、アルニコまたはフェライト等のコア材料の中実本体を有する。磁石３７０の形状因子は、ボビン３６２を通して開口部と一致する。永久磁石３７０は、ボビン３６２の開口部に圧入または摩擦嵌合され、Ｎ極Ｎ表面が、外側フランジ３６４と同一平面または共面であり、Ｓ極Ｓ表面が、外側フランジ３６６と同一平面または共面である。別の実施形態では、Ｎ極Ｎ表面は、外側フランジ３６４の表面を越えて外向きに延在し、Ｓ極Ｓ表面は、外側フランジ３６６の表面を越えて外向きに延在する。ボビン３６２は、コイル３７６を形成するために、多数の巻数、例えば、数千の巻数のコーティングされた銅ワイヤを用いて巻回される。
【００４０】
図６ｂでは、筐体カバー３８０が、上面３８４と、ギター本体への取付を確実にするための開口部３８８を伴う搭載フランジ３８６とを含む。筐体カバー３８０の対向する側が、開口部３９０および３９２を含む。単一コイルピックアップ３６０は、筐体カバー３８０にわたって位置付けられ、開口部３９０が、外側フランジ３６４および永久磁石３７０のＮ極Ｎ表面と垂直に整合され、開口部３９２が、外側フランジ３６６および永久磁石のＳ極Ｓ表面と垂直に整合される。
【００４１】
単一コイルピックアップ３６０は、筐体カバー３８０内に配置され、したがって、永久磁石３７０のＮ極Ｎ表面は、開口部３９０に向かって配向され、Ｓ極Ｓ表面は、永久磁石の開口部３９２に向かって配向される。故に、永久磁石３７０の本体および対向する極は、上面３８４に平行に配向され、最終的に、ギター弦およびギター本体に平行に配向されるであろう。ブレード４００が、接着剤を用いて、ねじを用いて、磁気的に、または他の固着機構を用いて、永久磁石３７０のＮ極Ｎ表面にわたって、開口部３９０の形状嵌合スロットにおいて、筐体カバー３８０の外面に搭載される。同様に、ブレード４０２が、最終センタレス中心点単一コイルピックアップアセンブリ４０４として、永久磁石３７０のＳ極Ｓ表面にわたって、開口部３９２の形状嵌合スロットにおいて、筐体カバー３６０の外面に搭載される。ブレード４００および４０２は、筐体カバー３６０の内部側面に搭載されることができる。ブレード４００および４０２は、鋼を用いて作製され、永久磁石３７０の磁束線をギター弦に向かって再指向する。単一コイルピックアップアセンブリ４０４は、ギター弦に平行に、ボビン３６２におけるコイル３７６を通して完全に延在する永久磁石３７０の性質と、そのどちらも従来のピックアップにおいて見出されるような中央ピックアップ点を呈さない２つの点において、すなわち、永久磁石３７０のＮ極Ｎ表面に近接して、および永久磁石のＳ極Ｓ表面に近接して、ギター弦運動をピックアップするブレード４００および４０２とによって、センタレス中心点動作を呈する。
【００４２】
図６ｃは、搭載フランジ３８６における開口部３８８を通して締結されるねじ４０８を用いてギター本体４０６に搭載される、単一コイルピックアップアセンブリ４０４を示す。ねじ４０８は、弦４１０に対する単一コイルピックアップアセンブリ４０４の高さを調節するために使用されることができる。永久磁石３７０の本体および対向する極は、ギター本体４０６の表面と平行に配向される。６つのギター弦４１０が、筐体カバー３８０の上面３８４を横断して配索される。筐体カバー３８０内の永久磁石３７０の配向を前提として、弦４１０の縦方向軸は、永久磁石のＮ極Ｎ表面およびＳ極Ｓ表面と平行に延設される。
【００４３】
図２ｉと同様に、弦４１０は、永久磁石３７０の磁場内で振動する。ブレード４００および４０２は、永久磁石３７０の磁束線をギター弦４１０に向かって再指向する。単一コイルピックアップアセンブリ４０４は、ブレード４００および永久磁石３７０のＮ極Ｎ表面近に近接する、ならびにブレード４０２および永久磁石のＳ極Ｓ表面に近接する点において、弦４１０の運動に応答する。
【００４４】
別の実施形態では、ブレード４００および４０２は、筐体カバー３８０の上面３８４の上方に延在し得る。図４ｆと同様に、複数の切り欠きが、ブレード４００および４０２に切り込まれ、単一コイルピックアップアセンブリ４０４の応答をギター弦の異なるゲージに設定することができる。
【００４５】
図７は、図２ａ−２ｉからのハムバッキングピックアップアセンブリ１５４の特徴と、図５ａ−５ｃからのハムバッキングピックアップ２８０の特徴とを有する、ハムバッキングピックアップ４２０を例証する。図２ｆと同様に、ブレード４２２が、永久磁石のＮ極Ｎ表面にわたって、筐体カバー４２８における開口部４２６の形状嵌合スロットにおいて、外面に搭載される。図５ａ−５ｃと同様に、ポールスクリュ４３０が、筐体カバー４２８の上面４３６における開口部４３４を通して、さらに、永久磁石のＳ極Ｓ表面に磁気的に結合されるポールシューを通して配置される。故に、ハムバッキングピックアップ４２０は、筐体カバー４２８の上面４３６の一方の側上のブレード４２２と、筐体カバーの他方の側上のポールスクリュ４３０とを有する。
【００４６】
ハムバッキングピックアップアセンブリ４２０は、搭載フランジ４４４における開口部を通して締結されるねじ４４２を用いて、ギター本体４４０に搭載される。６つのギター弦４５０が、筐体カバー４２８の上面４３６を横断して配索される。筐体カバー４２８内の永久磁石の配向を前提として、弦４５０の縦方向軸は、永久磁石のＮ極Ｎ表面およびＳ極Ｓ表面と平行に延設される。ハムバッキングピックアップアセンブリ４２０は、永久磁石のＮ極Ｎ表面に近接するブレード４２２にわたる弦４５０の運動に応答し、さらに、永久磁石のＳ極Ｓ表面に近接するポールスクリュ４３０にわたる弦４５０の運動に応答する。
【００４７】
本発明の１つまたはそれを上回る実施形態が詳細に例証されたが、当業者は、それらの実施形態への修正および適応が、以下の請求項に記載されるような本発明の範囲から逸脱することなく成され得ることを理解するであろう。
【図１】
2018063428.tif 000003
【図２ａ】
2018063428.tif 000004
【図２ｂ】
2018063428.tif 000005
【図２ｃ】
2018063428.tif 000006
【図２ｄ】
2018063428.tif 000007
【図２ｅ】
2018063428.tif 000008
【図２ｆ】
2018063428.tif 000009
【図２ｇ】
2018063428.tif 000010
【図２ｈ】
2018063428.tif 000011
【図２ｉ】
2018063428.tif 000012
【図３】
2018063428.tif 000013
【図４ａ】
2018063428.tif 000014
【図４ｂ】
2018063428.tif 000015
【図４ｃ】
2018063428.tif 000016
【図４ｄ】
2018063428.tif 000017
【図４ｅ】
2018063428.tif 000018
【図４ｆ】
2018063428.tif 000019
【図４ｇ】
2018063428.tif 000020
【図４ｈ】
2018063428.tif 000021
【図５ａ】
2018063428.tif 000022
【図５ｂ】
2018063428.tif 000023
【図５ｃ】
2018063428.tif 000024
【図６ａ】
2018063428.tif 000025
【図６ｂ】
2018063428.tif 000026
【図６ｃ】
2018063428.tif 000027
【図７】
2018063428.tif 000028
【外国語明細書】
2018063428000001.pdf